【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
イメージ描画コマンドと該イメージ描画コマンド以外のＰＤＬコマンドとを含む印刷データに基づいて印刷処理を行う印刷装置において、
前記イメージ描画コマンドのコマンド部分を内部コマンドに変換する変換手段と、
前記ＰＤＬコマンドと内部コマンドを記憶する第１の記憶手段と、
前記イメージ描画コマンドのイメージデータ部分を記憶する第２の記憶手段と、
割り込み印刷が行われる際、印刷処理中の印刷データの未印刷出力の頁情報を記憶する再開頁番号記憶手段と、
前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御手段と、
を有することを特徴とする印刷装置。
【請求項２】
前記イメージ描画コマンドのコマンド部分を内部コマンドに変換する変換手段は、前記イメージ描画コマンドの前記イメージデータ部分を、該イメージデータ部分が記憶された第２の記憶手段の相対アドレス情報と、前記イメージデータ部分の長さ情報に変換する
ことを特徴とする請求項１に記載の印刷装置。
【請求項３】
前記割り込み処理が行われる際、入力ジョブキューの順序を入れ替え、前記印刷処理中の印刷ジョブキューに前記再開頁番号の情報を記憶させ、前記割り込み処理が完了した後、前記中断した印刷データの印刷処理を行う際、前記再開頁番号記憶手段から再開頁番号の情報を読み出して印刷処理に使用することを特徴とする請求項１、又は２に記載の印刷装置。
【請求項４】
前記制御手段は、前記割り込み処理の場合のみならず、前記印刷データに付加された印刷優先度の情報に基づいて、優先印刷処理を行った後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行うことを特徴とする請求項１に記載の印刷装置。
【請求項５】
前記印刷データは、ネットワークを介して接続されたホスト機器から送信され、前記イメージ描画コマンドと該イメージ描画コマンド以外の前記ＰＤＬコマンドとの作成が前記ホスト機器で行われた前記印刷データであることを特徴とする請求項１、２、３、又は４に記載の印刷装置。
【請求項６】
ホスト機器と印刷装置がネットワークを介して接続された印刷システムにおいて、
前記ホスト機器は、
イメージ描画コマンドと該イメージ描画コマンド以外のＰＤＬコマンドとを含む印刷データを作成し、前記印刷装置に出力し、
前記印刷装置は、
前記印刷データを受信する受信手段と、
前記イメージ描画コマンドのコマンド部分を内部コマンドに変換する変換手段と、
前記ＰＤＬコマンドと内部コマンドを記憶する第１の記憶手段と、
前記イメージ描画コマンドのイメージデータ部分を記憶する第２の記憶手段と、
割り込み印刷が行われる際、印刷処理中の印刷データの未印刷出力の頁情報を記憶する再開頁番号記憶手段と、
前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御手段と、
を有することを特徴とする印刷システム。
【請求項７】
イメージ描画コマンドと該イメージ描画コマンド以外のＰＤＬコマンドとを含む印刷データに基づいて印刷処理を行う印刷装置の制御方法において、
前記イメージ描画コマンドのコマンド部分を内部コマンドに変換する変換処理と、
前記ＰＤＬコマンドと内部コマンドを第１の記憶手段に記憶する処理と、
前記イメージ描画コマンドのイメージデータ部分を第２の記憶手段に記憶する処理と、
割り込み印刷が行われる際、印刷処理中の印刷データの未印刷出力の頁情報を再開頁番号記憶手段に記憶する処理と、
前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御処理と、
を行うことを特徴とする印刷装置の制御方法。
【請求項８】
前記イメージ描画コマンドのコマンド部分を内部コマンドに変換する変換処理は、前記イメージ描画コマンドの前記イメージデータ部分を、該イメージデータ部分が記憶された第２の記憶手段の相対アドレス情報と、前記イメージデータ部分の長さ情報に変換する処理であることを特徴とする請求項７に記載の印刷装置の制御方法。
【請求項９】
イメージ描画コマンドと該イメージ描画コマンド以外のＰＤＬコマンドとを含む印刷データに基づいて印刷処理を行う印刷装置の制御プログラムであって、
前記イメージ描画コマンドのコマンド部分を内部コマンドに変換する変換処理と、
前記ＰＤＬコマンドと内部コマンドを第１の記憶手段に記憶する処理と、
前記イメージ描画コマンドのイメージデータ部分を第２の記憶手段に記憶する処理と、
割り込み印刷が行われる際、印刷処理中の印刷データの未印刷出力の頁情報を再開頁番号記憶手段に記憶する処理と、
前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御処理と、
を行うことを特徴とする印刷装置の制御プログラム。
【請求項１０】
前記イメージ描画コマンドのコマンド部分を内部コマンドに変換する変換処理は、前記イメージ描画コマンドの前記イメージデータ部分を、該イメージデータ部分が記憶された第２の記憶手段の相対アドレス情報と、前記イメージデータ部分の長さ情報に変換する処理であることを特徴とする請求項９に記載の印刷装置の制御プログラム。
【手続補正２】
【補正対象書類名】明細書
【補正対象項目名】００１１
【補正方法】変更
【補正の内容】
【００１１】
上記課題は第１の発明によれば、イメージ描画コマンドと該イメージ描画コマンド以外のＰＤＬコマンドとを含む印刷データに基づいて印刷処理を行う印刷装置において、前記イメージ描画コマンドのコマンド部分を内部コマンドに変換する変換手段と、前記ＰＤＬコマンドと内部コマンドを記憶する第１の記憶手段と、前記イメージ描画コマンドのイメージデータ部分を記憶する第２の記憶手段と、割り込み印刷が行われる際、印刷処理中の印刷データの未印刷出力の頁情報を記憶する再開頁番号記憶手段と、前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御手段とを有する印刷装置を提供することによって達成できる。
【手続補正３】
【補正対象書類名】明細書
【補正対象項目名】００１５
【補正方法】変更
【補正の内容】
【００１５】
また、上記課題は第５の発明によれば、前記印刷データは、ネットワークを介して接続されたホスト機器から送信され、前記イメージ描画コマンドと該イメージ描画コマンド以外の前記ＰＤＬコマンドとの作成が前記ホスト機器で行われた前記印刷データである印刷装置を提供することによって達成できる。
【手続補正４】
【補正対象書類名】明細書
【補正対象項目名】００１６
【補正方法】変更
【補正の内容】
【００１６】
また、上記課題は第６の発明によれば、ホスト機器と印刷装置がネットワークを介して接続された印刷システムにおいて、前記ホスト機器は、イメージ描画コマンドと該イメージ描画コマンド以外のＰＤＬコマンドとを含む印刷データを作成し、前記印刷装置に出力し、前記印刷装置は、前記印刷データを受信する受信手段と、前記イメージ描画コマンドのコマンド部分を内部コマンドに変換する変換手段と、前記ＰＤＬコマンドと内部コマンドを記憶する第１の記憶手段と、前記イメージ描画コマンドのイメージデータ部分を記憶する第２の記憶手段と、割り込み印刷が行われる際、印刷処理中の印刷データの未印刷出力の頁情報を記憶する再開頁番号記憶手段と、前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御手段と、を有する印刷システムを提供することによって達成できる。
【手続補正５】
【補正対象書類名】明細書
【補正対象項目名】００１７
【補正方法】変更
【補正の内容】
【００１７】
また、上記課題は第７の発明によれば、イメージ描画コマンドと該イメージ描画コマンド以外のＰＤＬコマンドとを含む印刷データに基づいて印刷処理を行う印刷装置の制御方法において、前記イメージ描画コマンドのコマンド部分を内部コマンドに変換する変換処理と、前記ＰＤＬコマンドと内部コマンドを第１の記憶手段に記憶する処理と、前記イメージ描画コマンドのイメージデータ部分を第２の記憶手段に記憶する処理と、割り込み印刷が行われる際、印刷処理中の印刷データの未印刷出力の頁情報を再開頁番号記憶手段に記憶する処理と、前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御処理とを行う印刷装置の制御方法を提供することによって達成できる。
【手続補正６】
【補正対象書類名】明細書
【補正対象項目名】００１９
【補正方法】変更
【補正の内容】
【００１９】
また、上記課題は第９の発明によれば、イメージ描画コマンドと該イメージ描画コマンド以外のＰＤＬコマンドとを含む印刷データに基づいて印刷処理を行う印刷装置の制御プログラムであって、前記イメージ描画コマンドのコマンド部分を内部コマンドに変換する変換処理と、前記ＰＤＬコマンドと内部コマンドを第１の記憶手段に記憶する処理と、前記イメージ描画コマンドのイメージデータ部分を第２の記憶手段に記憶する処理と、割り込み印刷が行われる際、印刷処理中の印刷データの未印刷出力の頁情報を再開頁番号記憶手段に記憶する処理と、前記割り込み印刷の処理後、中断した印刷データの印刷処理を行う際、前記再開頁番号記憶手段から再開頁番号の情報を読み出し、該再開頁番号まで前記第１の記憶手段に記憶した前記ＰＤＬコマンドと内部コマンドのみを読み出し、前記再開頁番号以降について、更に前記第１の記憶手段から読み出した内部コマンドに従ったイメージデータ部分を前記第２の記憶手段から読み出す制御を行う制御処理とを行う印刷装置の制御プログラムを提供することによって達成できる。